(57)【要約】【課題】従来の機器認証の技術では、機器の利用者が知人や友人などの他人が有する機器でサービスを受けようとしても、自分の有する機器で受けられるサービスを他人の機器では受けられない。【解決手段】電子機器とサーバ装置からなるシステムにおいて、電子機器は、サーバ装置からサービスの提供を受ける権原を他の電子機器に対して移転する処理の開始の要求を送信し、その要求に対する作業画面に入力され、他の電子機器の公開ＩＤを送信し、サーバ装置は、同じ電子機器を識別する機器ＩＤと公開ＩＤとを関連付けて保持し、前記要求の受信に応じて作業画面を送信し、送信した作業画面を介して受信する公開ＩＤと関連付けられている権原の移転先となる電子機器の機器ＩＤを取り出し、その機器ＩＤと、作業画面を介して公開ＩＤを送信した電子機器の機器ＩＤとを関連付けて保持する。【選択図】図８
2008059222.tif 000002
【特許請求の範囲】
【請求項１】
自身を識別するための公開ＩＤであるフレンドリーＩＤと関連付けが可能であり、サーバ装置を介したサービスを受ける権原の認証をうけるためサーバ装置に対してのみ公開される機器ＩＤを保持するとともにサーバ装置との通信に際して機器ＩＤを送信する機器ＩＤ送信部と、
自身がサーバ装置からサービスの提供を受ける権原を他の電子機器に対して移転する処理の開始の要求である移転処理開始要求をサーバ装置に対して送信する移転処理開始要求送信部と、
送信された移転処理開始要求に応じてサーバ装置から提供される権原の移転のための作業画面に対して利用者が入力する他の電子機器のフレンドリーＩＤをサーバ装置に対して送信するフレンドリーＩＤ送信部と、
を有する電子機器と、
受信する機器ＩＤの認証に基づいてサービスを提供するサービス提供部と、
同じ電子機器を識別する機器ＩＤとフレンドリーＩＤとを関連付けて保持するＩＤ関連保持部と、
受信する移転処理開始要求に応じて前記作業画面を送信する作業画面送信部と、
送信した作業画面を介して受信するフレンドリーＩＤと関連付けられている権原の移転先となる電子機器の機器ＩＤをＩＤ関連保持部から取り出し、取り出した機器ＩＤと、作業画面を介してフレンドリーＩＤを送信した権原の移転元となる電子機器の機器ＩＤと、を関連付けて保持する移転関係保持部と、
を有するサーバ装置と、
からなるサービス提供システム。
【請求項２】
電子機器は、
サーバ装置から送信される権原移転受入確認画面を受信する権原移転受入確認画面受信部と、
受信された権原移転受入確認画面に対して利用者から入力される受入許否情報をサーバ装置に対して送信する受入許否送信部と、
を有し、
サーバ装置は、
移転関係保持部にて保持される権原の移転先となる電子機器の機器ＩＤに基づいて前記権原移転受入確認画面を送信する権原移転受入確認画面送信部と、
権原移転受入確認画面の送信に応じて返信される受入許否情報を受信する受入許否情報受信部と、
受入許否情報受信部にて受信した受入許否情報が受入れを許容するとの情報である場合には、移転関係保持部にて保持されている権原の移転元となる電子機器の機器ＩＤに基づいて提供されるべきサービスを権原の移転先である電子機器に対して提供する移転先サービス提供部と、
を有する請求項１に記載のサービス提供システム。
【請求項３】
サーバ装置は、
移転関係保持部に、権原の移転先となる電子機器の機器ＩＤである移転先機器ＩＤと、前記権原の移転元となる電子機器の機器ＩＤである移転元機器ＩＤと、を関連付けて保持した場合に、前記権原の移転先となる電子機器に対してサービスの提供を開始するために必要なパスワードを生成して、前記移転先機器ＩＤと関連づけるパスワード関連付部と、
前記パスワードを、前記移転元機器ＩＤで識別される電子機器へ送信するパスワード送信部と、
を有し、
電子機器は、
サーバ装置より送信されるパスワードを受信するパスワード受信部を有する請求項１または２に記載のサービス提供システム。
【請求項４】
電子機器は、
自身を権原の移転先として自身のフレンドリーＩＤを前記作業画面に入力した、権原の移転元の電子機器のフレンドリーＩＤを前記サーバ装置へ送信する移転元フレンドリーＩＤ送信部と、
前記権原の移転元の電子機器が受信したパスワードを入力して前記サーバ装置へ送信するパスワード送信部と、
を有し、
サーバ装置は、
前記移転元フレンドリーＩＤ送信部が送信したフレンドリーＩＤと前記パスワード送信部が送信したパスワードを受信する移転元フレンドリーＩＤ・パスワード受信部と、
前記移転元フレンドリーＩＤ・パスワード受信部にて受信されたフレンドリーＩＤとパスワードを送信した電子機器の機器ＩＤと前記パスワード関連付部で関連づけられたパスワードが、前記移転元フレンドリーＩＤ・パスワード受信部にて受信されたパスワードと一致するか判断するパスワード判断部と、
を有する請求項３に記載のサービス提供システム。
【請求項５】
電子機器とサーバ装置とからなるサービス提供システムの動作方法であって、
前記電子機器において、
自身を識別するための公開ＩＤであるフレンドリーＩＤと関連付けが可能であり、サーバ装置を介したサービスを受ける権原の認証をうけるためサーバ装置に対してのみ公開される機器ＩＤと、を保持するとともにサーバ装置との通信に際して機器ＩＤを送信する機器ＩＤ送信ステップと、
自身がサーバ装置からサービスの提供を受ける権原を他の電子機器に対して移転する処理の開始の要求である移転処理開始要求をサーバ装置に対して送信する移転処理開始要求送信ステップと、
を実行し、
前記サーバ装置において、
受信する機器ＩＤの認証に基づいてサービスを提供するサービス提供ステップと、
同じ電子機器を識別する機器ＩＤとフレンドリーＩＤとを関連付けて保持するＩＤ関連保持ステップと、
受信する移転処理開始要求に応じて前記作業画面を送信する作業画面送信ステップと、
を実行し、
前記電子機器において、
送信された移転処理開始要求に応じてサーバ装置から提供される権原の移転のための作業画面に対して利用者が入力する他の電子機器のフレンドリーＩＤをサーバ装置に対して送信するフレンドリーＩＤ送信ステップ
を実行し、
前記サーバ装置において、
送信した作業画面を介して受信するフレンドリーＩＤと関連付けられている権原の移転先となる電子機器の機器ＩＤをＩＤ関連保持部から取り出し、取り出した機器ＩＤと、作業画面を介してフレンドリーＩＤを送信した権原の移転元となる電子機器の機器ＩＤと、を関連付けて保持する移転関係保持ステップ
を実行するサービス提供システムの動作方法。
【発明の詳細な説明】
【技術分野】
【０００１】
本発明は、サービス提供システム及びサービス提供システムの動作方法などに関する。特に、電子機器の機器認証が行なわれた後に、認証された電子機器にサービスが提供されるシステムなどに関する。
【背景技術】
【０００２】
機器認証を用いたサービス提供システムが既に知られている（例えば、特許文献１、非特許文献１）。ここに「機器認証」とは、電子機器に固有のＩＤを用いて、その電子機器が、成りすましなどの不正な行為が行なわれていない正しい電子機器であることを確認することをいう。例えば、携帯電話、デジタルテレビなどに機器認証の技術が用いられている。
【特許文献１】特開２００２−２７１２４８号公報（例えば段落００２０）
【非特許文献１】ｈｔｔｐ：／／ｋ−ｔａｉ．ｉｍｐｒｅｓｓ．ｃｏ．ｊｐ／ｃｄａ／ａｒｔｉｃｌｅ／ｎｅｗｓ_ｔｏｐｐａｇｅ／18103．ｈｔｍｌ
【発明の開示】
【発明が解決しようとする課題】
【０００３】
しかしながら、従来の機器認証の技術では、機器を認証の対象としているため、機器の利用者が知人や友人などである他人が有する機器を利用した場合には、自分の有する機器で受けられるサービスを受けられないという問題がある。このため、サービスの利用の仕方などを他人に教えてもらうには、自分の有する機器を他人に触らせるなどの必要があり、煩に堪えない場合や感情的に堪えられない場合などがある。
【課題を解決するための手段】
【０００４】
本発明は、かかる実情に鑑みて想到されたものである。すなわち、電子機器とサーバ装置とからなるサービス提供システムにおいて、電子機器は、サーバ装置との通信に際して機器ＩＤを送信し、自身がサーバ装置からサービスの提供を受ける権原を他の電子機器に対して移転する処理の開始である移転処理開始要求を送信し、移転処理開始要求に応じて提供される作業画面に入力されたＩＤであり、他の電子機器の公開されたＩＤであるフレンドリーＩＤを送信し、サーバ装置は、機器ＩＤの受信に基づいてサービスを提供しつつ、同じ電子機器を識別する機器ＩＤとフレンドリーＩＤとを関連付けて保持し、移転処理開始要求の受信に応じて作業画面を送信し、送信した作業画面を介して受信するフレンドリーＩＤと関連付けられている権原の移転先となる電子機器の機器ＩＤを取り出し、その機器ＩＤと、送信した作業画面を介してフレンドリーＩＤを送信した権原の移転元となる電子機器の機器ＩＤとを関連付けて保持する。
【０００５】
これにより、権原の移転元となる電子機器に対して提供されているサービスを、権原の移転先となる電子機器に対して移転して提供することが可能となり、課題が解決される。
【０００６】
また、権原の移転先などとなる電子機器は、権原移転受入確認画面を受信し、その権原移転受入確認画面に対して利用者から入力される受入許否の情報をサーバ装置に対して送信し、サーバ装置は、受入許否の情報を受信し、その情報が受け入れを許容するとの情報で有る場合には、移転先となる電子機器に移転元の電子機器に対して提供されるサービスを提供するようになっていてもよい。
【０００７】
これにより、移転先の電子機器を有する者の意思などに沿ってサービスを移転して提供することが可能となる。
【０００８】
また、サーバ装置は、送信した作業画面を介して受信するフレンドリーＩＤを受信した場合、パスワードを生成して、権原の移転先となる電子機器の機器ＩＤと権原の移転元となる電子機器の機器ＩＤとに関連づけて保持して、そのフレンドリーＩＤを送信した電子機器へ送信し、電子機器で受信されるようになっていてもよい。
【０００９】
これにより、パスワードを権原の移転先となる電子機器に入力しないと、サービスが移転して提供されることがない構成とすることができるので、権原の移転元となる電子機器を有する者の意思に反するサービスの提供が他人の電子機器にて行なわれることを防止することができる。
【発明の効果】
【００１０】
本発明により、機器認証を行ないつつも、権原の移転元となる電子機器に対して提供されているサービスを、権原の移転先となる電子機器に対して移転して提供することが可能となるなどの効果が発揮される。
【発明を実施するための最良の形態】
【００１１】
（本発明の概要）
本発明を実施するための最良の形態を実施形態として説明する前に、本発明の概要について説明する。なお、本発明は、以下に説明する概要に限定されることはなく、その要旨を逸脱しない範囲において、種々の態様で実施し得る。
【００１２】
図１は、本発明のサービス提供システムの概要を説明する。サービス提供システムは、サーバ装置１０１と、複数の電子機器１０２、１０３などとから構成されている。サーバ装置１０１と複数の電子機器１０２、１０３などとの間は、インターネットなどに代表される通信網で接続されて片方向、あるいは双方向に通信が可能である。電子機器としては、携帯電話、デジタルテレビ受信機、携帯型ゲーム機器、家電製品などがある。サーバ装置は、例えば、計算機を用いて実現される。
【００１３】
電子機器１０２がサーバ装置１０１へサービスの要求などを送信すると、その要求などには、電子機器ＩＤ１０４が付加される。電子機器ＩＤ１０４は、電子機器１０２を一意に特定する識別子である。サーバ装置１０１では、電子機器１０２から送信されたサービスの要求などに付加された電子機器ＩＤ１０４の正当性などを検証し、その検証の結果を用いて電子機器１０２を認証する。例えば、電子機器ＩＤ１０４が正当な数字の組合せなどから構成されていることを検証する。サーバ装置１０１において電子機器ＩＤ１０４の認証が成功すれば、電子機器１０２に対するサービス１０５が、サーバ装置１０１から、あるいはサーバ装置１０１を介して他のサーバ装置などから、電子機器１０２へ提供される。このことを、電子機器１０２は、サービス１０５を受ける権原を有するということにする。サービス１０５としては、例えば、電子機器ＩＤ１０２に対して定められたポータル画面の提供がある。また、コンテンツのダウンロードや視聴などもサービス１０５に含められる。コンテンツが有料であれば、電子機器ＩＤ１０４を用いて課金がされる。
【００１４】
同様に、電子機器１０３がサーバ装置１０１へサービスの要求などを送信すると、その要求などには、電子機器ＩＤ１０６が付加される。電子機器１０２と電子機器１０３とが異なれば、電子機器ＩＤ１０６と電子機器ＩＤ１０４とは異なる。サーバ装置１０１では、電子機器１０３から送信されたサービスの要求などに付加された電子機器ＩＤ１０６の正当性などを検証し、その検証の結果を用いて電子機器１０３を認証する。認証が完了すれば、電子機器１０３に対するサービス１０７が、サーバ装置１０１から、あるいはサーバ装置１０１を介して他のサーバ装置などから、電子機器１０３へ提供される。
【００１５】
図１にその概要が例示されたサービス提供システムでは、電子機器ＩＤを用いて電子機器がサーバ装置により認証される。このため、例えば、電子機器１０２の利用者が、電子機器１０３を利用しても、電子機器１０３に対して提供されるサービスが受けられるのみであり、電子機器１０２に提供されるサービスが受けられないというなどの課題があった。本発明は、この課題などを以下のように解決する。
【００１６】
図２は、本発明における第一のステップ群を説明する。図２のように、サーバ装置２０１と、電子機器２０２、２０３がある。今、電子機器２０２の利用者が、電子機器２０３にても、電子機器２０２へ提供されるサービスを受けたいと所望したとする。このとき、まず（１）のステップとして、電子機器２０２からサーバ装置２０１へ移転処理開始要求を送信する。移転処理開始要求とは、電子機器２０２に提供されるサービスを他の電子機器へも提供するための処理の開始の要求である。言い換えれば、電子機器２０２が有する権限を他の電子機器へ移転する処理を開始するということである。（２）のステップとして、移転処理開始要求に対して、サーバ装置２０１から電子機器２０２へ確認画面が送信される。確認画面とは、移転処理の開始をしてよいかどうかを確認する画面である。電子機器２０２の利用者は、確認画面に含まれる「ＯＫ」などのボタンを押すことにより、（３）のステップとしての確認情報が、電子機器２０２からサーバ装置２０１へ送信される。（４）のステップとして、サーバ装置２０１において、確認情報のチェックが行なわれる。例えば、移転処理の開始というサービスが電子機器２０２に対して提供されるサービスの一つであるかどうかなどをチェックする。
【００１７】
チェックが終了すると、（５）のステップとして、サーバ装置２０１から電子機器２０２へフレンドリーＩＤの入力画面が送信される。ここにフレンドリーＩＤとは、電子機器を識別するために公開された識別子である。電子機器ＩＤは、電子機器を認証するための識別子であるので、一般にその構造は複雑であり、人間が容易に記憶できるものではない。また、電子機器ＩＤが漏洩してしまうと、成りすましなどの問題が発生する。そこで、利用者が電子機器を特定するためには、記憶が容易に行なえる識別子を用いる。この識別子のことをフレンドリーＩＤという。例えば、フレンドリーＩＤは、インターネットなどでのＦＱＤＮ（Ｆｕｌｌｙ  Ｑｕａｌｉｆｉｅｄ  Ｄｏｍａｉｎ Ｎａｍｅ）に相当する。（５）のステップでのフレンドリーＩＤの入力画面に入力されるのは、電子機器２０２に提供されるサービスが、提供されるべき他の電子機器のフレンドリーＩＤである。つまり、電子機器２０２が有する権限を移転する先となる電子機器のフレンドリーＩＤである。ここでは、電子機器２０２の利用者が、電子機器２０３でも、電子機器２０２に提供されるサービスを受けたいと所望しており、電子機器２０３のフレンドリーＩＤは、ｃｄｅであるので、（６）のステップとしてｃｄｅを入力する。
【００１８】
（７）のステップとして、サーバ装置２０１が、電子機器２０２へ送信されたフレンドリーＩＤの入力画面に入力されたフレンドリーＩＤを受信し、フレンドリーＩＤのチェックを行なう。例えば、そのフレンドリーＩＤを持つ電子機器が存在するかどうか、また、利用者が電子機器２０２で提供されるサービスを受ける権原を移転したい電子機器があらかじめ指定されている場合には（例えば、電子機器２０２でサービスを受ける権原についての契約時に指定されたり、別の画面にフレンドリーＩＤを入力して指定されたりなどの場合には）、そのどれかに合致するかどうかなどのチェックを行なう。チェックが成功すると、（８）のステップとして、フレンドリーＩＤとしてｃｄｅを有する機器利用許可リストに、例えば電子機器２０２のフレンドリーＩＤであるａｂｃを追加する。機器利用許可リストについては、図３、図４を用いて後ほど説明する。機器利用許可リストへのフレンドリーＩＤなどの追加が終わると、（９）のステップとして、サーバ装置２０１は、電子機器２０２へパスワードを発行する。このパスワードは、例えば、電子機器２０３において、電子機器２０２がサービスの提供を受ける権原を移転し、電子機器２０２へ本来は提供されるサービスの提供を受ける際に、電子機器２０３に入力されるものである。これにより、電子機器２０２にて、移転処理を行なった利用者が、電子機器２０３を利用していることがサーバ装置２０１により確認され、電子機器２０２へ本来は提供されるサービスを電子機器２０３へ提供しても問題がないことなどが確認できる。
【００１９】
図３、図４は、機器利用許可リストを説明する図である。機器利用許可リストは、電子機器ごとにサーバ装置で管理されるエントリに付与される。このようなエントリは、サーバ装置の記憶領域に確保される。図３は、電子機器ごとにサーバ装置で管理されるエントリを例示する。エントリ３０１は、電子機器２０２に対応したエントリを示し、電子機器２０２の電子機器ＩＤ、フレンドリーＩＤを保持する。その他には、電子機器２０２の利用者の情報、課金の方法、課金の上限、電子機器２０２に対して提供可能なサービスの識別子などが保持される。同様に、エントリ３０２は、電子機器２０３に対応したエントリを示す。図２において、（８）のステップにおいて、フレンドリーＩＤがｃｄｅの機器利用許可リストにａｂｃが追加されるので、電子機器２０３のエントリであるエントリ３０２に、機器利用許可リストが付与され、その機器利用許可リストに、ａｂｃが保持される。図４は、エントリ３０２に、ａｂｃを保持する機器利用許可リスト３０３が付与された状態の一例を示す。機器利用許可リスト３０３には、フレンドリーＩＤとしてａｂｃが含まれ、この機器利用許可リストが、エントリ３０２に関連づけなどされることで付与されているので、電子機器２０２に本来は提供されるサービスが、電子機器２０３に対して、提供されるべきことの移転処理が行なわれたことが表現される。機器利用許可リスト３０３は、フレンドリーＩＤとしてのａｂｃ以外に、（９）のステップで発行されたパスワード（図したように例えば、“ｓｅｃｒｅｔ”）、受入可などの情報が保持される。受入可とは、電子機器２０３の利用者が、電子機器２０２に本来は提供されるサービスが、電子機器２０３に対して提供されることを可としたかどうかを示す。
【００２０】
図５は、電子機器２０３の利用者が、電子機器２０２に提供されるサービスが提供されることを可とするためのステップ群（第二のステップ群）を示す。（１）のステップとして、電子機器２０３からサーバ装置２０１へ、移転要求電子機器リストの要求を送信する。移転要求電子機器リストとは、サービスの提供を受ける権原を、電子機器２０３へ移転する処理を行なった電子機器のリストを意味する。このリストは、エントリ３０２に付与された機器利用許可リストを参照することにより生成することができる。図４の場合には、電子機器２０２のみがサービスの提供の移転の処理を行なったので、そのフレンドリーＩＤのａｂｃのみからなるリストとなる。（２）のステップとして、このリストが電子機器２０３へ送信される。（３）のステップとして、ａｂｃの受入の許否を電子機器２０３より送信する。この許否が許であれば、すなわち、電子機器２０２に本来は提供されるサービスが、電子機器２０３に対して提供されることを可としたならば、（４）のステップとして、機器利用許可リスト３０３の受入可の値をＮＯからＹＥＳへ変更する。この結果、図４に例示されたデータ構造は、図６のように変更される。すなわち、機器利用許可リスト３０３の受入可の値がＹＥＳとなる。
【００２１】
図７は、電子機器２０３を利用して、電子機器２０２へ提供されるサービスを受けるための処理のステップ群（第三のステップ群）を示す。（１）のステップとして、電子機器２０３よりサーバ装置２０１へ、移転処理要求を送信する。移転処理要求とは、電子機器２０３を利用して、他の電子機器へ本来は提供されるサービスを受ける要求である。移転処理要求に対して、サーバ装置２０１より、フレンドリーＩＤ入力画面が送信される。ここでいうフレンドリーＩＤ入力画面とは、サービスが本来は提供される他の電子機器を特定するフレンドリーＩＤを入力する画面である。ここでは、本来、電子機器２０２へ提供されるサービスを電子機器２０３で受けるので、電子機器２０２のフレンドリーＩＤをとしてａｂｃを入力する（（３）のステップ）。次に、（４）のステップとして、パスワード入力画面がサーバ装置２０１から送信される。このパスワード入力画面は、電子機器２０２を用いてサービスの移転処理を行なった利用者が電子機器２０３の前に居るかどうかなどを確認するためなどの画面である。ここでは、（５）のステップとして、図４に例示されているｓｅｃｒｅｔを入力する。（６）のステップとして、サーバ装置２０１において、（３）のステップで入力されたフレンドリーＩＤと（５）のステップで入力されたパスワードとのチェックなどを行なう。このチェックが成功すれば、（７）のステップとして、サーバ装置２０１は、電子機器２０２へ本来は提供されるサービスを電子機器２０３へ提供する。
【００２２】
このような第一、第二、第三のステップ群のステップを経ることにより、電子機器２０２へ本来は提供されるサービスを電子機器２０３へ提供することが可能となる。これにより、電子機器２０２の利用者が電子機器２０３の利用者宅を訪問したときに、電子機器２０２で利用していたサービスを、電子機器２０３を用いて利用することが可能となる。また、電子機器２０２でのサービスの利用の仕方を、電子機器２０３を用いて実際に質問して、質問者は、サービスの利用の仕方などの指導などを受けることもできる。また例えば、高齢などの者が電子機器２０２でサービスを受けていたが、入力の仕方がわからなくなったなどの理由で、その者の子などの家を訪ねて、電子機器２０３で、電子機器２０２で受けていたサービスの続きを受けることができ、子などに入力を代行してもらうこともできる。
【００２３】
以下、本発明を実施するための最良の形態について、図を参照して実施形態として説明する。なお、本発明は、これら実施形態に何ら限定されるものではなく、その要旨を逸脱しない範囲において、種々なる態様で実施し得る。
【００２４】
（実施形態１）
実施形態１として、電子機器とサーバ装置とからなるサービス提供システムにおいて、電子機器は、サーバ装置との通信に際して機器ＩＤを送信し、自身がサーバ装置からサービスの提供を受ける権原を他の電子機器に対して移転する処理の開始である移転処理開始要求を送信し、移転処理開始要求に応じて提供される作業画面に入力されるＩＤであって、他の電子機器の公開されたＩＤであるフレンドリーＩＤを送信し、サーバ装置は、機器ＩＤの受信に基づいてサービスを提供しつつ、同じ電子機器を識別する機器ＩＤとフレンドリーＩＤとを関連付けて保持し、移転処理開始要求の受信に応じて作業画面を送信し、送信した作業画面を介して受信するフレンドリーＩＤと関連付けられている権原の移転先となる電子機器の機器ＩＤを取り出し、その機器ＩＤと、送信した作業画面を介してフレンドリーＩＤを送信した権原の移転元となる電子機器の機器ＩＤとを関連付けて保持するサービス提供システムについて説明する。
【００２５】
図８は、実施形態１に係るサービス提供システムの機能ブロック図を例示する。サービス提供システムは、電子機器８０１とサーバ装置８０２とからなる。図８では、電子機器は一つしか例示されていないが、複数の電子機器がサーバ装置８０２に接続し得る。
【００２６】
電子機器８０１は、機器ＩＤ送信部８０３と、移転処理開始要求送信部８０４と、フレンドリーＩＤ送信部８０５と、を有する。
【００２７】
「機器ＩＤ送信部」８０３は、機器ＩＤを保持するとともに、サーバ装置８０２との通信に際して機器ＩＤを送信する。「機器ＩＤ」とは、サーバ装置８０２を介したサービスを受ける権原の認証をうけるため、サーバ装置８０２に対してのみ公開されるＩＤである。「サーバ装置８０２に対してのみ公開される」とは、サーバ装置８０２の運営者などの間で秘密に保たれ、一般には公開され得ないことを意味する。機器ＩＤ送信部８０３は、機器ＩＤをフラッシュメモリのような不揮発性のメモリなどに記憶することが好ましく、特に、耐タンパ領域に保持することが好ましい。なお、機器ＩＤは、下記に説明するフレンドリーＩＤと関連付けが可能なＩＤである。この関連付けは、主にサーバ装置で管理される。
【００２８】
また、機器ＩＤ送信部８０３は、サーバ装置８０２との通信に際して、機器ＩＤを送信する。例えば、機器ＩＤ送信部８０３が担当する通信のレイヤ（例えば、フィジカルレイヤ）の上位レイヤ（例えば、アプリケーションレイヤ）の通信で行なわれるパケットに対して、下位レイヤのパケットを生成し、そのパケットのヘッダなどに機器ＩＤを追加するなど、下位レイヤでのプロトコルの処理などが行なわれる。図９は、この様子を例示する。上位レイヤからの通信データが機器ＩＤ送信部で受信されると、機器ＩＤ送信部は、下位レイヤのパケットを生成し、そのパケットのヘッダなどに機器ＩＤを追加する。ここでの機器ＩＤは、機器ＩＤ送信部が保持するものであり、電子機器８０１を特定するための識別子ともなり得る。
【００２９】
「移転処理開始要求送信部」８０４は、移転処理開始要求をサーバ装置に８０２に対して送信する。「移転処理開始要求」とは、自身（電子機器８０１）が、サーバ装置８０２からサービスの提供を受ける権原を、他の電子機器に対して移転する処理の開始の要求を表わす情報である。すなわち、移転処理開始要求は、電子機器８０１が、サーバ装置８０２より受けられるサービスを、他の電子機器で受けられるようにする処理を開始する要求を表わす情報である。このような要求を表わす情報は、例えば、ＨｙｐｅｒＴｅｘｔ  Ｔｒａｎｓｆｅｒ  Ｐｒｏｔｏｃｏｌを用いて表現が可能である。なお、電子機器８０１が、サーバ装置８０２より受けられるサービスを、他の電子機器で受けられるようにする処理を行なえること自体が、サーバ装置８０２が電子機器８０１へ提供するサービスの一つであってもよい。なお、機器ＩＤ送信部８０３の説明より、移転処理開始要求送信部８０４により移転処理開始要求が送信されると、この送信の下位レイヤでのプロトコルの処理などが機器ＩＤ送信部８０３により行なわれ、移転処理開始要求を示すパケットのヘッダなどに、機器ＩＤが追加される。この付加された機器ＩＤにより、どの電子機器により移転処理開始要求が送信されたかを知ることができる。
【００３０】
図１０は、移転処理開始要求を送信するための画面の一例を示す。画面１００１の中に、「移転処理開始」を表わすボタン１００２が表示されている。利用者は、このボタン１００２をマウスやキーボードで選択を行ない、押下することにより、移転処理開始要求が電子機器８０１からサーバ装置８０２へ送信される。また、音声認識などを用いて、ボタンの押下と同様の効果がもたらされるようになっていてもよい。機器ＩＤ送信部８０３を経由して、移転処理開始要求が送信されるので、移転処理開始要求を含むパケットには、電子機器８０１の機器ＩＤが追加される。これにより、サーバ装置８０２では、どの電子機器から送信された要求であるかを知ることができる。
【００３１】
「フレンドリーＩＤ送信部」８０５は、作業画面に対して利用者が入力する他の電子機器のフレンドリーＩＤを、サーバ装置８０２に対して送信する。「フレンドリーＩＤ」とは、自身を識別するための公開ＩＤ（公開の識別子）である。「自身」とは、電子機器８０１を意味する。「公開ＩＤ」とは、秘密にされないという意味である。例えば、フレンドリーＩＤは、電子機器８０１のＦＱＤＮのように、アルファベットと数字で記述され、このようなアルファベットと数字とを用いることにより、既存の単語や概念を表わすことができる。これにより人間にとって記憶し易くすることができる。また、入力の誤りを減らすこともできる。「作業画面」とは、移転処理開始要求送信部８０４により送信された移転処理開始要求に応じて、サーバ装置８０２が提供する画面であり、サーバ装置８０２から提供される権原の移転のための画面である。「サーバ装置８０２から提供される権原」とは、サーバ装置８０２から提供されるサービスを受けることができる権原を意味する。作業画面は、例えば、ＨｙｐｅｒＴｅｘｔ  Ｍａｒｋ−ｕｐ  Ｌａｎｇｕａｇｅにて記述することができる。また、作業画面のフォーマットが電子機器８０１に画面識別子と関連づけてハードディスクやメモリなどに記憶されており、サーバ装置８０２より画面識別子を送信することにより、作業画面の送信を実現することもできる。作業画面に入力されるフレンドリーＩＤは、他の電子機器のフレンドリーＩＤであり、その電子機器に、サーバ装置８０２から提供される権原を移転することが所望されていることが想定される。
【００３２】
なお、機器ＩＤ送信部８０３の説明より、フレンドリーＩＤ送信部８０５によりフレンドリーＩＤが送信されると、この送信の下位レイヤでのプロトコルの処理などが機器ＩＤ送信部８０３により行なわれ、フレンドリーＩＤを含むパケットのヘッダなどに、機器ＩＤが追加される。この付加された機器ＩＤにより、どの電子機器によりフレンドリーＩＤが送信されたかを知ることができる。
【００３３】
図１１は、作業画面の一例を示す。作業画面１１０１の内部に、フレンドリーＩＤを入力する欄１１０２が存在し、電子機器８０１の利用者は、ここに他の電子機器のフレンドリーＩＤを、キーボードや音声認識手段などを利用して入力し、入力が終われば、ＯＫボタン１１０３を押下する。ＯＫボタン１１０３の押下が検出されると、フレンドリーＩＤ送信部８０５は、欄１１０２に入力されたフレンドリーＩＤを読み出して、メモリなどに一時的に記憶を行ない、所定のプロトコル（例えば、ＨｙｐｅｒＴｅｘｔ  Ｔｒａｎｓｆｅｒ  Ｐｒｏｔｏｃｏｌ）により送信を行なう。例えば、機器ＩＤ送信部８０３を実現するソフトウェアモジュールのアプリケーションインターフェースに、送信するべきフレンドリーＩＤなどの情報を渡す。
【００３４】
図１２は、電子機器８０１での処理の一例を説明するフローチャートを例示する。ステップＳ１２０１において、移転処理の開始が行なわれるまで待つ。例えば、図１０の画面を電子機器８０１のプラズマディスプレイなどの表示部に表示を行ない、ボタン１００２などが押下されたことを示す電気信号が検出されるまでＷＡＩＴする。移転処理の開始が行なわれると、ステップＳ１２０２へ処理を移行し、移転処理開始要求の送信を行なう。例えば、移転処理開始要求送信部８０４を実現するソフトウェアモジュールが、機器ＩＤ送信部８０３を実現するソフトウェアモジュールのアプリケーションインターフェースに、移転処理開始要求を表わす情報を渡す。ステップＳ１２０３においては、移転処理開始要求の送信に応じてサーバ装置８０２から送信される作業画面の受信が行なわれるまで待つ。例えば、作業画面を表わすＨＴＭＬの記述が受信されるまでＷＡＩＴを行なう。もし、所定の時間内に作業画面が受信できなかったり、電子機器８０１の受けられるサービスの一つに作業画面の提供がないなどのエラーなどが起きたりした場合には、その旨の表示を行ない、処理を終了するのが好ましい。
【００３５】
ステップＳ１２０４においては、作業画面を表示部に表示し、ステップＳ１２０５において、フレンドリーＩＤが入力されるまで待つ。ここで、例えば、フレンドリーＩＤが欄１１０２に入力されＯＫボタン１１０３が押下されたことを示す電気信号が検出されるまでＷＡＩＴする。フレンドリーＩＤが入力されたことが検出されれば、ステップＳ１２０６へ処理を移行させ、入力されたフレンドリーＩＤを送信する。
【００３６】
次に、サーバ装置について説明する。サーバ装置８０２は、サービス提供部８０６と、ＩＤ関連保持部８０７と、作業画面送信部８０８と、移転関係保持部８０９とを有する。
【００３７】
「サービス提供部」８０６は、受信する機器ＩＤの認証に基づいてサービスを提供する。例えば、次のようなソフトウェアモジュールにて実現することができる。すなわち、電子機器から送信される情報を含むパケットを受信するソフトウェアモジュールを用いて、そのパケットのヘッダなどに追加されている機器ＩＤを取得する。次に取得した機器ＩＤが正当なものであるかどうかを検証して認証を行なう。例えば、あらかじめサーバ装置に記憶された機器ＩＤのうちの一つと一致するかどうかを検証する。そして、認証が成功すれば、その機器ＩＤを有する電子機器は、その機器ＩＤと関連付などされているサービスを受ける権原を有するとして、サービスを電子機器に対して提供する。
【００３８】
図１３は、電子機器ＩＤと、サービスの識別子と、が関連付けられているテーブル１３０２がサービス提供部１３０１に管理されている一例を示す。テーブル１３０２は、例えば、サーバ装置が備えるハードディスク装置に、データベース管理システムなどやＩ−ＳＡＭファイルなどを用いて管理される。これにより、機器ＩＤ１という電子機器ＩＤを有する電子機器には、サービス１１３、サービス１０５６などのサービスの識別子で識別されるサービスを提供するべきこと、あるいは、そのようなサービスの提供が行なえること、言い換えれば、機器ＩＤ１という電子機器ＩＤを有する電子機器は、サービス１１３、サービス１０５６などのサービスの識別子で識別されるサービスの提供を受けられる権原を有することが示される。
【００３９】
図１４は、サービスの構造の一例を示す。電子機器の電源が投入されるなどして、サーバ装置との通信を開始すると、電子機器は、提供を受ける権原を有するサービスの一覧などから構成されるポータル画面を要求する（このようなポータル画面の提供もサービスの一つとなっていてもよい）。このポータル画面を表示部に表示することにより、電子機器において、提供を受ける権原を有する他のサービスの画面に遷移することが可能となる。例えば、機器ＩＤ１という電子機器ＩＤを有する電子機器の場合には、図１４に示すように、ポータル画面から、サービス１１３、サービス１０５６などのサービスの提供を受けるための画面などに遷移することが可能である。また、このようなサービスの一つとして、移転処理の開始が含まれ得る。
【００４０】
「ＩＤ関連保持部」８０７は、同じ電子機器を識別する機器ＩＤとフレンドリーＩＤとを関連付けて保持する。「同じ電子機器を識別する」とは、関連付けて保持される機器ＩＤが識別する電子機器と、フレンドリーＩＤが識別する電子機器と、が同じ電子機器であることを意味する。このような関連付は、例えばテーブルを用いて実現することができる。
【００４１】
図１５は、ＩＤ関連保持部１５０１が、フレンドリーＩＤと機器ＩＤとを関連付けるテーブル１５０２を有している形態の一例を示す。テーブル１５０２もテーブル１３０２と同様に、サーバ装置が備えるハードディスク装置に、データベース管理システムやＩ−ＳＡＭファイルなどを用いて管理され得る。図１５では、例えば、ａｂｃというフレンドリーＩＤは、０４０１６７Ｂという機器ＩＤと関連付けられる。これにより、ａｂｃで識別される電子機器と、０４０１６７Ｂで識別される電子機器と、は同一であることになる。（例えば、０４０１６７Ｂという機器ＩＤと図１３に例示された機器ＩＤとは同一であったりしてもよい）
【００４２】
「作業画面送信部」８０８は、受信する移転処理開始要求に応じて、作業画面を送信する。例えば、移転処理開始要求が電子機器より受信されると、作業画面のＨＴＭＬによる記述をハードディスク装置などから読出して、メモリに一時的に記憶し、移転処理開始要求を送信した電子機器へ向けて送信する。
【００４３】
「移転関係保持部」８０９は、（Ａ）送信した作業画面を介して受信するフレンドリーＩＤと関連付けられている権原の移転先となる電子機器の機器ＩＤをＩＤ関連保持部８０７より取り出し、（Ｂ）その取り出した機器ＩＤと、（Ｃ）作業画面を介してフレンドリーＩＤを送信した権原の移転元となる電子機器の機器ＩＤと、を関連付けて保持する。例えば、電子機器ＩＤとして２８４７２９Ｒを有する電子機器より、作業画面を介して、ａｂｃというフレンドリーＩＤを受信したとする。このとき、ａｂｃというフレンドリーＩＤで識別される電子機器が、権原の移転先となる。また、ＩＤ関連保持部８０７に保持される関連付を参照して、ａｂｃより、ａｂｃに関連付けられた０４０１６７Ｂという機器ＩＤを取り出す。そして、２８４７２９Ｒで識別される電子機器を権原の移転元として、権原の移転先としての０４０１６７Ｂを関連付けて保持する。これにより、２８４７２９Ｒで識別される電子機器へ本来は提供されるサービスが、０４０１６７Ｂで識別される電子機器へ提供するべきことが、サーバ装置８０２により管理される。
【００４４】
図１６は、移転関係保持部８０９での処理を説明する。機器ＩＤ（例えば、２８４７２９Ｒ）を有する電子機器より、フレンドリーＩＤ´（例えば、ａｂｃ）を含むパケット１６０１が受信されたとする。すると、パケット１６０１より、権原の移転先となる電子機器を識別するフレンドリーＩＤ´１６０２が取り出され、ＩＤ関連保持部を参照して、フレンドリーＩＤ´１６０２に関連付けられている機器ＩＤ´１６０３（例えば、０４０１６７Ｂ）が取り出される。そこで、パケット１６０１に含まれる機器ＩＤ１６０４を権原の移転元とし、取り出された機器ＩＤ´１６０３を権原の移転先としての機器ＩＤとして関連付ける。
【００４５】
移転関係保持部８０９での保持される関連付は、テーブルなどを用いて実現することができる。例えば、図１７に例示されるように移転関係保持部１７０１は、移転元の電子機器の電子機器ＩＤという列と、移転先となる電子機器の電子機器ＩＤという列と、からなるテーブルを管理する。図１７では、例えば、ＩＤ１２３４という機器ＩＤで識別される電子機器に提供されるサービスは、ＩＤ９８７６という機器ＩＤで識別される電子機器に提供することが表現される。
【００４６】
図１８、図１９は、サーバ装置８０２における処理の流れを説明するフローチャートを例示する。
【００４７】
図１８は、サービス提供の処理の流れを説明する。ステップＳ１８０１において、機器ＩＤを受信する。すなわち、電子機器より送信されるサービス要求のパケットを受信して、それに付加されている機器ＩＤを取得する。ステップＳ１８０２においては、取得された機器ＩＤを認証する。例えば、あらかじめサーバ装置８０２のテーブルなどに保持されている機器ＩＤと一致するかどうかの判断の処理を行なう。ステップＳ１８０３では、認証がＯＫであるかどうかを判断する。もし、ＯＫであれば、ステップＳ１８０４に処理を移行させて、サービスの提供を受けられる権原をその電子機器が有するとして、その電子機器へサービスの提供を行ない、認証がＯＫでなければ、ステップＳ１８０５に処理を移行させて、エラー等の通知等を行なう。
【００４８】
図１９は、移転処理開始要求の受信から、権原の移転元の電子機器の機器ＩＤと権原の移転先の電子機器の機器ＩＤとの関連付までの処理の流れを説明する。ステップＳ１９０１において、移転処理開始要求の受信がされるまで待つ。例えば、電子機器８０１より、移転処理開始要求のパケットの受信を示す電気信号が検出されるまでＷＡＩＴする。移転処理開始要求の受信がされれば、ステップＳ１９０２において、作業画面の送信を行なう。例えば、作業画面のＨＴＭＬによる記述を作業画面送信部８０８がハードディスク装置などから読み出して、メモリに一時的に記憶し、電子機器へ送信を行なうためのソフトウェアモジュールのアプリケーションインターフェースに渡すことで実現される。ステップＳ１９０３では、フレンドリーＩＤが受信されるまで待つ。例えば、フレンドリーＩＤのパケットの受信を示す電気信号が検出されるまでＷＡＩＴする。フレンドリーＩＤが受信されれば、ステップＳ１９０４に処理を移行させ、フレンドリーＩＤと関連付けられた機器ＩＤのＩＤ関連保持部８０７からの取り出しを行なう。そして、ステップＳ１９０５において、取り出された機器ＩＤを、権原の移転元となる機器ＩＤと関連付けて保持する。
【００４９】
以後においては、権原の移転先となる電子機器から、権原の受入を可とする情報がサーバ装置によって受信された場合の処理について説明する。
【００５０】
図２０は、権原の受入を示す情報を含むパケットの概念図を例示する。この例では、「機器ＩＤ」という機器ＩＤを有する電子機器を権原の移転元として、「機器ＩＤ´」という機器ＩＤを有する電子機器を権原の移転先とする権原の移転があったと仮定している。すると、機器ＩＤ´を有する電子機器から、権原の受入れを可とする情報がサーバ装置へ送信されることとなる。図２０は、このような場合の権原の受入を示す情報を含むパケットを例示する。権原の受入を示すパケットなどの情報２００１は、ヘッダなどの部分２００２に機器ＩＤ´を有し、ペイロードなどの部分に、機器ＩＤを移転元とする権原の受入を可とする情報が含まれる。
【００５１】
サーバ装置８０２は、図２０のようなパケットを受信すると、どの電子機器が権原の受入を行なうのかを知るために、部分２００２を読み出して、機器ＩＤ´を得て、機器ＩＤ´を移転先とする移転が可とされたことを検出する。どの電子機器を移転元とするかについては、例えばパケット２００１のペイロードの部分などを読み出して、移転元となる電子機器のフレンドリーＩＤを取得し、ＩＤ関連保持部８０７を参照して、機器ＩＤを取得する。そして、機器ＩＤと機器ＩＤ´とが移転関係保持部８０９に関連付けて保持されていれば、サービス提供部が管理するテーブルを参照して、本来は機器ＩＤで識別される電子機器へ提供されるサービスを、機器ＩＤ´で識別される電子機器へ提供するように処理を行なう。例えば、機器ＩＤで識別される電子機器へサービスを提供しようとすると、移転関係保持部８０９に保持された情報を読み出して、ＨｉｇｈからＬｏｗへ遷移する電気信号を生成する電子回路を構成し、ＨｉｇｈからＬｏｗに遷移があることにより、権原の移転があったことを検出して、移転関係保持部８０９などに保持された情報を読み出して、サービスの提供の転送などを行なう電子回路などにより実現可能である。
【００５２】
図２１は、２つの電子機器、すなわち、電子機器１と電子機器２とがあり、それらがサーバ装置と通信が可能である場合、電子機器１からの移転処理開始要求の送信が行なわれ、電子機器２より図２０に例示される権原移転の受入の送信が行なわれ、本来は電子機器１へ提供されるサービスが電子機器２へ提供される処理の流れを説明するシーケンス図を例示する。
【００５３】
ステップＳ２１０１において、電子機器１よりサーバ装置へ、移転処理開始要求が送信される。ステップＳ２１０２において、移転処理開始要求に応じて、サーバ装置より電子機器１へ作業画面が送信される。作業画面には、電子機器２のフレンドリーＩＤが入力され、ステップＳ２１０３において、そのフレンドリーＩＤが電子機器１よりサーバ装置へ送信される。これにより、電子機器１へ本来提供されるべきサービスが電子機器２へ提供されるべきことがサーバ装置に記憶される。
【００５４】
その後、例えば、電子機器２より、サーバ装置へ、電子機器２を権原の移転先とする処理が行なわれたかどうか、もし、行なわれている場合には、そのような処理に係る権原の移転元の電子機器のフレンドリーＩＤのリストの要求が送信される。これにより、電子機器２は、電子機器１が権原の移転元となる権原の移転の処理が行なわれ、その処理において、電子機器２が移転先となったことを知る。
【００５５】
そこで、ステップＳ２１０４において、図２０に例示されるような権原移転の受入れ可を示すパケットが電子機器２からサーバ装置へ送信され、サーバ装置は、例えば、図４、図６などのデータ構造を参照し、本来、電子機器１へ提供されるべきサービスを電子機器２へ提供する。例えば、パケットの受信において、電子機器２から受信されたパケットを、ヘッダなどを書き換えることにより、電子機器１から受信されたように偽装などし、パケットの送信において、電子機器１へ向けて提供されるサービスのパケットのヘッダなどに格納されている電子機器１の機器ＩＤを電子機器２の機器ＩＤに書き換える。したがって、サーバ装置は、電子機器２から受信されたパケットを、ヘッダなどを書き換える書き換え手段をパケット受信部に備え、パケットのヘッダなどに格納されている電子機器１の機器ＩＤを電子機器２の機器ＩＤに書き換える第二の書き換え手段をパケット送信部に備えるようになっていてもよい。
【００５６】
以上により、本実施形態では、権原の移転元となる電子機器に対して提供されているサービスを、権原の移転先となる電子機器に対して移転して提供することが可能となる。これにより、例えば、電子機器１でのサービスの利用の仕方などを、電子機器２を用いて質問することなどもできる。また、高齢などの者が電子機器１でサービスを受けていたが、入力の仕方がわからなくなったなどの理由で、その者の子などの家を訪ねて、電子機器２で、電子機器１で受けていたサービスの続きを受けることができ、子などに入力の続きなどを代行などしてもらうこともできる。
【００５７】
（実施形態２）
実施形態２として、権原の移転先などとなる電子機器は、権原移転受入確認画面を受信し、その権原移転受入確認画面に対して利用者から入力される受入許否の情報をサーバ装置に対して送信し、サーバ装置は、受入許否の情報を受信し、その情報が受入れを許容するとの情報で有る場合には、移転先となる電子機器に移転元の電子機器に対して提供されるサービスを提供するサービス提供システムについて説明する。
【００５８】
図２２は、実施形態２に係るサービス提供システムの機能ブロック図を例示する。サービス提供システムは、実施形態１と同じく、電子機器２２０１と、サーバ装置２２０２とからなる。図２２では、電子機器は一つしか例示されていないが、複数の電子機器がサーバ装置２２０２に接続し得ることは実施形態１と同様である。
【００５９】
電子機器２２０１は、権原移転受入確認画面受信部２２０３と、受入許否送信部２２０４とを有する。なお、電子機器２２０１は、実施形態１と同じように、機器ＩＤ送信部と、移転処理開始要求送信部と、フレンドリーＩＤ送信部と、も有するが、これらの図示は省略されている。
【００６０】
「権原移転受入確認画面受信部」２２０３は、サーバ装置２２０２から送信される権原移転受入確認画面を受信する。「権原移転受入確認画面」とは、サーバ装置２２０２の移転関係保持部にて保持される権原の移転先となる電子機器に対して、権原の移転元となる電子機器を、電子機器２２０１の利用者に知らせ、権原の受入の許否を入力するための画面である。
【００６１】
「受入許否送信部」２２０４は、受信された権原移転受入確認画面に対して利用者から入力される受入許否情報をサーバ装置２２０２に対して送信する。受入許否情報が、上記の「権原の受入の許否」を示す情報である。例えば、権原移転受入確認画面には、権原の移転元となる電子機器のフレンドリーＩＤやその利用者の氏名や顔写真の画像などが表示され、電子機器２２０１の利用者は、そのように表示される電子機器ごとに、権原の受入れの許否を、権原移転受入確認画面に表示されるチェックボックスなどを用いて入力し、その入力の結果を受入許否送信部２２０４がサーバ装置２２０２へ送信する。
【００６２】
図２３は、電子機器２２０１の処理の流れを説明するフローチャートを例示する。ステップＳ２３０１において、権原移転受入確認画面の受信がされるまで待つ。権原移転受入確認画面は、他の電子機器よりサーバ装置２２０２へ、電子機器２２０１を権原の移転先とするためのフレンドリーＩＤの送信が行なわれる都度、表示がされてもよい。あるいは、電子機器２２０２より権原移転受入確認画面の要求をサーバ装置２２０１へ送信し、その返信として受け取るようになっていてもよい。また、権原移転受入確認画面が送信されることが、電子機器２２０１へ提供されるサービスの一つであってもよい。ステップＳ２３０２において、権原移転受入確認画面を表示部に表示する。ステップＳ２３０３において、受入許否情報の入力がされるまで待つ。入力がされると、ステップＳ２３０４へ処理を移行させ、受入許否情報をサーバ装置２２０２へ送信する。
【００６３】
図２４は、権原移転受入確認画面の一例を示す。権原移転受入確認画面２４０１には、これが表示される電子機器を権原の移転先とした電子機器のフレンドリーＩＤとしてｆｇｈ、ｊｋｌなどが表示され、電子機器の利用者は、チェックボックスやラジオボタン２４０２、２４０３の選択を行ない、権原の移転の受入を可とする電子機器を指定し、送信ボタン２４０４を押下する。これにより、受入許否送信部２２０４が、受入許否情報を生成して、送信を行なう。
【００６４】
サーバ装置２２０２は、権原移転受入確認画面送信部２２０５と、受入許否情報受信部２２０６と移転先サービス提供部２２０７と、を有する。なお、サーバ装置２２０２は、実施形態１におけるように、サービス提供部と、ＩＤ関連保持部と、作業画面送信部と、移転関係保持部と、を有するがこれらは省略されている（特に、サービス提供部と移転先サービス提供部２２０７とは一つの部となっていてもよい）。
【００６５】
「権原移転受入確認画面送信部」２２０５は、移転関係保持部にて保持される権原の移転先となる電子機器の機器ＩＤに基づいて、権原移転受入確認画面を送信する。すなわち、移転関係保持部にて、電子機器２２０１を権原の移転先として関連付けられている電子機器の機器ＩＤ（すなわち権原の移転元）を取得して、それらに対して、権原の移転の許否が入力可能な画面を、ＨＴＭＬなどを用いて図２４に例示される画面が表示可能となるように構成し、その構成された画面を送信する。
【００６６】
「受入許否情報受信部」２３０６は、権原移転受入確認画面の送信に応じて返信される受入許否情報を受信する。例えば、画面２４０１に入力されたチェックボックスやラジオボタン２４０２、２４０３への入力状況を受信する。
【００６７】
「移転先サービス提供部」２３０７は、受入許否情報受信部２３０６にて受信した受入許否情報が受入れを可、すなわち、許容するとの情報で有る場合には、移転関係保持部にて保持されている権原の移転元となる電子機器の機器ＩＤに基づいて提供されるべきサービスを権原の移転先である電子機器２２０１に対して提供する。例えば、画面２４０１において、チェックボックス２４０２にチェックなどが入力され、ｆｇｈからの受入れを許容するとの情報が受信された場合には、フレンドリーＩＤとしてｆｇｈを有する電子機器に対してサービス提供部により本来は提供されるサービスを、電子機器２２０１へ提供するように転送する。
【００６８】
図２５は、サーバ装置２２０２の処理の流れを説明するフローチャートを例示する。ステップ２５０１において、権原移転受入確認画面を電子機器に対して送信する。ステップＳ２５０２において、受入許否情報の受信が行なわれるまで待つ。受信が行なわれれば、ステップＳ２５０３へ処理を移行させ、移転先サービス提供部により、本来は他の電子機器へ提供されるべきサービスを電子機器２２０１へ提供する。
【００６９】
図２６は、実施形態２における処理の全体のシーケンス図を例示する。ステップＳ２６０１からステップＳ２６０３までは、実施形態１において図２１のステップＳ２１０１からＳ２１０３までとして説明したことと同じであるので説明は省略する。
【００７０】
ステップＳ２６０４において、権原移転受入確認画面が、サーバ装置より電子機器２へ送信される。そして、ステップＳ２６０５においては、権原移転受入確認画面を参照などして入力された受入許否情報が、電子機器２よりサーバ装置へ送信される。その後、図２１のステップＳ２１０５のように本来は電子機器１へ提供されるサービスが、電子機器２へ提供されるようになる。
【００７１】
以上のように、本実施形態では、移転先の電子機器を有する者の意思などに沿ってサービスを移転して提供することが可能となる。例えば、ポルノ画像や風俗店の情報などのアダルト情報の提供のサービスを未成年者が閲覧する可能性がある電子機器へ提供されることを防止することができる。
【００７２】
（実施形態３）
実施形態３として、サーバ装置は、送信した作業画面を介して受信するフレンドリーＩＤを受信した場合、パスワードを生成して、権原の移転先となる電子機器の機器ＩＤと権原の移転元となる電子機器の機器ＩＤとに関連づけて保持して、そのフレンドリーＩＤを送信した電子機器へ送信し、電子機器で受信されるサービス提供システムについて説明する。
【００７３】
図２７は、実施形態３に係るサービス提供システムの機能ブロック図を例示する。サービス提供システムは、実施形態１または２と同じく、サーバ装置２７０１と、電子機器２７０２とからなる。図２７では、電子機器は一つしか例示されていないが、複数の電子機器がサーバ装置２７０１に接続し得ることは実施形態１または２と同様である。
【００７４】
サーバ装置２７０１は、移転関係保持部２７０３と、パスワード関連付部２７０４と、パスワード送信部２７０５と、を有する。なお、サーバ装置は、実施形態１と同じように、さらにサービス提供部と、ＩＤ関連保持部と、作業画面送信部と、を有するが、これらの図示は省略されている。また、権原移転受入確認画面送信部と、受入許否情報受信部と、移転先サービス提供部と、を有していてもよい。
【００７５】
「パスワード関連付部」２７０４は、移転関係保持部２７０３に、権原の移転先となる電子機器の機器ＩＤである移転先機器ＩＤと、その権原の移転元となる電子機器の機器ＩＤである移転元機器ＩＤと、を関連付けて保持した場合に、その権限の移転先となる電子機器に対してサービスの提供を開始するために必要なパスワードを生成して、前記移転先機器ＩＤと関連付ける。例えば、移転先となる電子機器の機器ＩＤがＩＤ１２３４であり、移転元となる電子機器の機器ＩＤがＩＤ９８７６となるように、移転関係保持部に機器ＩＤが関連付けて保持される場合には、その関連付に対してパスワードを発行してさらに関連付ける。
【００７６】
図２８は、実施形態３での移転関係保持部２８０１が管理するテーブル２８０２を例示する。これは、実施形態１で説明した図１７に対応している。ただし、図１７では、パスワードの列は図示されていなかったが、図２８では、この列が図示されている。
【００７７】
「パスワード送信部」２７０５は、前記パスワードを前記移転元機器ＩＤで識別される電子機器へ送信する。「前記パスワード」とは、パスワード関連付部２７０４で生成されて移転関係保持部２７０３に関連付されたパスワードである。例えば、図２８の場合には、ｐａｓｓｗｏｒｄ０１を、ＩＤ９８７６で識別される電子機器へ送信し、ｐａｓｓｗｏｒｄ０２をＩＤ７６５４で識別される電子機器へ送信する。この送信は、作業画面を介してフレンドリーＩＤが入力された直後に、電子機器へ送信されるようになっていてもよいし、電子機器の利用者にあてたメールなどで後刻に送信されるようになっていてもよい。
【００７８】
電子機器２７０２は、パスワード受信部２７０６を有する。なお、電子機器２７０２は実施形態１と同じく、機器ＩＤ送信部と、移転処理開始要求送信部と、フレンドリーＩＤ送信部と、を有するが、これらの図示は省略されている。また、実施形態２のように、権原移転受入確認画面受信部と、受入許否送信部とを有するようになっていてもよい。
【００７９】
「パスワード受信部」２７０６は、サーバ装置２７０１から送信されるパスワードを受信する。例えば、作業画面を介してフレンドリーＩＤを送信された直後に返信されるパスワードを受信する。あるいは、メールなどの手段で送信されるパスワードを受信する。受信されたパスワードは、表示部に表示されたり、電子機器２７０１に接続されたプリンターなどに印刷されたりする。また、電子機器２７０１に接続されたＰＤＡ（Ｐｅｒｓｏｎａｌ  Ｄｉｇｉｔａｌ  Ａｓｓｉｓｔａｎｃｅ）などに転送されてもよい。
【００８０】
図２９は、実施形態３における処理の全体のシーケンス図を例示する。ステップＳ２９０１からステップＳ２９０３までは、実施形態１において図２１のステップＳ２１０１からＳ２１０３までとして説明したことと同じであるので説明は省略する。本実施形態では、フレンドリーＩＤ´を電子機器１からサーバ装置へ送信した後、ステップＳ２９０４でパスワードがサーバ装置で生成されて電子機器１へ返信されることが示されている。
【００８１】
その後、電子機器１へ本来ならば提供されるサービスの提供を電子機器２で受けるためには、ステップＳ２９０５において、権原移転の受入をサーバ装置に対して送信するときに、ステップＳ２９０４におけるパスワードをサーバ装置に対して、送信する。例えば、キーボードを用いてパスワードを入力して送信したり、パスワードが転送などされたＰＤＡを電子機器２に接続したりなどしてパスワードを送信する。サーバ装置では、パスワードの適合性を判断し、適合するものであれば、ステップＳ２９０６において、電子機器１へ本来ならば提供されるサービスの提供を電子機器２へ行なう。
【００８２】
なお、図２９では、権原移転の受入とパスワードの送信をステップＳ２９０５という一つのステップで行なったが、図７に例示したように数ステップに分けて行なうこともできる。すなわち、まず、電子機器２より、サーバ装置へ、移転処理要求を送信する。サーバ装置は、移転処理要求に応じて、電子機器２を権原の移転先としてフレンドリーＩＤを送信した電子機器のリストを送信する。例えば、この電子機器のリストは、その電子機器のフレンドリーＩＤのリストである。また、このとき、そのリストには、電子機器２がサーバ装置に送信した受入許否情報も電子機器ごとに含まれていてもよい。そして、電子機器２の利用者は、このリストの中から電子機器のフレンドリーＩＤを一つ選択して、選択されたフレンドリーＩＤをサーバ装置へ送信する。この送信を行なう部を、移転元フレンドリーＩＤ送信部ということができる。
【００８３】
サーバ装置では、選択されたフレンドリーＩＤのチェックを行なう。また、電子機器２からの受入許否情報により、受入が許容される電子機器のフレンドリーＩＤであるかどうかのチェックも行なってもよい。チェックの結果がＯＫであれば、サーバ装置は、パスワードを要求する画面を電子機器２へ送信する。
【００８４】
電子機器２の使用者（電子機器２の利用者の場合もあれば、電子機器１の利用者である場合もある）は、パスワードを要求する画面に対して、ステップＳ２１０３で受信されたパスワードを入力し、サーバ装置へ送信する。この送信を行なう部を、パスワード送信部ということができる。サーバ装置では、フレンドリーＩＤとパスワードの受信を行なう。この受信を行なう部を移転元フレンドリーＩＤ・パスワード受信部ということができる。そして、移転関係保持部に保持されたテーブル２８０２などを参照して、移転元の電子機器の電子機器ＩＤと移転先の電子機器の電子機器ＩＤとでパスワードの検索を行ない、受信されたパスワードと検索されたパスワードが同一であるかどうかのチェックを行ない（このチェックを行なう部をパスワード判断部ということができる）、チェックがＯＫであれば、電子機器１へ本来は提供されるサービスを電子機器２へ提供する。
【００８５】
以上のように、本実施形態では、パスワードの入力、チェックを条件として、権原の移転元となる電子機器に本来は提供されるサービスが権原の移転先である他の電子機器へ提供されるので、権原の移転元となる電子機器の利用者の意思に反して、権原の移転先である他の電子機器へサービスが提供されることを防止することができる。
【図面の簡単な説明】
【００８６】
【図１】サービス提供システムの概要を説明するための図
【図２】第一のステップ群を説明するための図
【図３】機器利用許可リストを説明するための図
【図４】機器利用許可リストを説明するための図
【図５】第二のステップ群を説明するための図
【図６】機器利用許可リストを説明するための図
【図７】第三のステップ群を説明するための図
【図８】実施形態１に係るサービス提供システムの機能ブロック図
【図９】機器ＩＤ送信部の入出力関係の一例図
【図１０】移転処理開始要求を送信するための画面の一例図
【図１１】作業画面の一例図
【図１２】電子機器での処理のフローチャート
【図１３】サービス提供部が管理するテーブルの一例図
【図１４】サービスの構造の一例図
【図１５】ＩＤ関連保持部が管理するテーブルの一例図
【図１６】移転関係保持部の処理を説明するための図
【図１７】移転関係保持部が管理するテーブルの一例図
【図１８】サーバ装置８０２における処理のフローチャート
【図１９】サーバ装置８０２における処理のフローチャート
【図２０】権原の受入を示す情報を含むパケットの概念図
【図２１】本来は電子機器１へ提供されるサービスが電子機器２へ提供される処理のシーケンス図
【図２２】実施形態２に係るサービス提供システムの機能ブロック図
【図２３】電子機器の処理のフローチャート
【図２４】権原移転受入確認画面の一例図
【図２５】サーバ装置の処理のフローチャート
【図２６】実施形態２における処理の全体のシーケンス図
【図２７】実施形態３に係るサービス提供システムの機能ブロック図
【図２８】移転関係保持部が管理するテーブルの一例図
【図２９】実施形態３における処理の全体のシーケンス図
【符号の説明】
【００８７】
８０１  電子機器
８０２  サーバ装置
８０３  機器ＩＤ送信部
８０４  移転処理開始要求送信部
８０５  フレンドリーＩＤ送信部
８０６  サービス提供部
８０７  ＩＤ関連保持部
８０８  作業画面送信部
８０９  移転関係保持部
【図１】
2008059222.tif 000003
【図２】
2008059222.tif 000004
【図３】
2008059222.tif 000005
【図４】
2008059222.tif 000006
【図５】
2008059222.tif 000007
【図６】
2008059222.tif 000008
【図７】
2008059222.tif 000009
【図８】
2008059222.tif 000010
【図９】
2008059222.tif 000011
【図１０】
2008059222.tif 000012
【図１１】
2008059222.tif 000013
【図１２】
2008059222.tif 000014
【図１３】
2008059222.tif 000015
【図１４】
2008059222.tif 000016
【図１５】
2008059222.tif 000017
【図１６】
2008059222.tif 000018
【図１７】
2008059222.tif 000019
【図１８】
2008059222.tif 000020
【図１９】
2008059222.tif 000021
【図２０】
2008059222.tif 000022
【図２１】
2008059222.tif 000023
【図２２】
2008059222.tif 000024
【図２３】
2008059222.tif 000025
【図２４】
2008059222.tif 000026
【図２５】
2008059222.tif 000027
【図２６】
2008059222.tif 000028
【図２７】
2008059222.tif 000029
【図２８】
2008059222.tif 000030
【図２９】
2008059222.tif 000031